(57)【要約】【課題】画像出力装置を切り替える場合の処理負荷を軽減することが可能なプロジェクタ等を提供すること。【解決手段】プロジェクタ１００が、複数種の画像出力装置から画像情報を入力可能な入出力部１２０と、画像情報を出力するＰＣ２００とは異なるＤＶＤプレーヤー３００から画像情報を入力する状況である第１の入力ソース切替状況になったかどうかを判定する判定部１３０と、前記第１の入力ソース切替状況になった場合に、前記画像情報の出力を中断させるための中断制御情報または前記画像情報の出力を停止させるための停止制御情報を、入出力部１２０にＰＣ２００へ向け出力させる制御部１４０とを含んで構成される。【選択図】図１
2008102307.tif 000002
【特許請求の範囲】
【請求項１】
複数種の画像出力装置から画像情報を入力可能な入出力部と、
画像情報を出力する第１の画像出力装置とは異なる第２の画像出力装置から画像情報を入力する状況である第１の入力ソース切替状況になったかどうかを判定する判定部と、
前記第１の入力ソース切替状況になった場合に、前記画像情報の出力を中断させるための中断制御情報または前記画像情報の出力を停止させるための停止制御情報を、前記入出力部に前記第１の画像出力装置へ向け出力させる制御部と、
を含むことを特徴とする表示装置。
【請求項２】
請求項１に記載の表示装置において、
前記判定部は、前記第１の入力ソース切替状況になった後に前記第１の画像出力装置から画像情報を入力する状況である第２の入力ソース切替状況になったかどうかを判定し、
前記制御部は、当該第２の入力ソース切替状況になった場合、前記中断制御情報を出力させた場合には前記画像情報の出力を再開させるための再開制御情報を、前記停止制御情報を出力させた場合には前記画像情報の出力を開始させるための開始制御情報を、前記入出力部に前記第１の画像出力装置へ向け出力させることを特徴とする表示装置。
【請求項３】
請求項２に記載の表示装置において、
前記入出力部は、前記第１の画像出力装置から前記画像情報の入力開始時に前記画像情報として画像全体の領域の画像を示す全体領域画像情報を入力するとともに、２回目以降の入力時に前記画像情報として画像全体のうちの前フレームと比較して変化した領域である変化領域の画像を示す変化領域画像情報を入力し、
前記制御部は、前記再開制御情報として、前記第１の画像出力装置に前記全体領域画像情報を出力させるための情報を生成することを特徴とする表示装置。
【請求項４】
請求項１〜３のいずれかに記載の表示装置において、
前記第１の画像出力装置からの画像情報または前記第２の画像出力装置からの画像情報を記憶可能な共有メモリと、
各画像情報を前記共有メモリに書き込む描画回路と、
を含み、
前記制御部は、前記第１の入力ソース切替状況になった場合、前記描画回路に、前記第１の画像出力装置からの画像情報の書き込みを停止させるとともに、前記第２の画像出力装置からの画像情報の書き込みを開始させることを特徴とする表示装置。
【請求項５】
請求項４に記載の表示装置において、
前記制御部は、前記第１の入力ソース切替状況になった場合、前記共有メモリのうちの第１の画像出力装置からの画像情報用の記憶領域を解放することを特徴とする表示装置。
【請求項６】
請求項５に記載の表示装置において、
前記入出力部は、前記共有メモリのうちの第１の画像出力装置からの画像情報用の記憶領域が解放されてから前記第２の画像出力装置からの画像情報を前記共有メモリに書き込むことを特徴とする表示装置。
【請求項７】
請求項１〜６のいずれかに記載の表示装置において、
ユーザーの指示情報を入力する指示情報入力部を含み、
前記判定部は、前記第１の画像出力装置からの画像情報に基づいて画像が表示されている状況で、前記第２の画像出力装置からの画像情報を入力することを指示する前記指示情報が入力された場合に前記第１の入力ソース切替状況になったと判定することを特徴とする表示装置。
【請求項８】
請求項１〜７のいずれかに記載の表示装置として形成され、
前記画像情報に基づき、画像を投写する投写部を含むことを特徴とするプロジェクタ。
【請求項９】
請求項１〜８のいずれかに記載の表示装置と、
前記第１の画像出力装置と、
前記第２の画像出力装置と、
を含み、
前記第１の画像出力装置は、
画像情報を出力するとともに、前記中断制御情報および前記停止制御情報を入力可能な入出力部と、
前記中断制御情報が入力された場合は画像情報の出力を中断し、前記停止制御情報を入力した場合は画像情報の出力を停止するように、前記入出力部を制御する制御部と、
を含むことを特徴とする表示システム。
【請求項１０】
複数種の画像出力装置から画像情報を入力可能な入出力部を有する表示装置の有するコンピュータにより読み取り可能なプログラムにおいて、
コンピュータを、
画像情報を出力する第１の画像出力装置とは異なる第２の画像出力装置から画像情報を入力する状況である第１の入力ソース切替状況になったかどうかを判定する判定部と、
前記第１の入力ソース切替状況になった場合に、前記画像情報の出力を中断させるための中断制御情報または前記画像情報の出力を停止させるための停止制御情報を、前記入出力部に前記第１の画像出力装置へ向け出力させる制御部として機能させることを特徴とするプログラム。
【請求項１１】
複数種の画像出力装置から画像情報を入力可能な入出力部を有する表示装置の有するコンピュータにより読み取り可能なプログラムを記憶した情報記憶媒体において、
請求項１０に記載のプログラムを記憶した情報記憶媒体。
【発明の詳細な説明】
【技術分野】
【０００１】
本発明は、表示装置、プロジェクタ、表示システム、プログラムおよび情報記憶媒体に関する。
【背景技術】
【０００２】
例えば、特開２００６−５８６６８号公報に記載されているように、ＰＣ(Personal Computer)で表示されている画像の画像情報を、ＰＣがネットワークを介してプロジェクタに送信し、プロジェクタがＰＣで表示されている画像と同じ画像を表示する場合がある。
【０００３】
このような場合、プロジェクタは、画像情報の出力元がＰＣ以外の画像出力装置（例えば、ビデオ再生装置等）に切り替わった場合であっても、バックグラウンドでＰＣからの画像情報を受信していた。
【０００４】
このようなプロジェクタは、ネットワークからの画像情報を記憶するための第１の記憶領域と、ビデオ入力ポート等からの画像情報を記憶するための第２の記憶領域を有しており、画像情報の出力元がＰＣ以外の画像出力装置に切り替わった場合、第１の記憶領域を無駄に使用することになっていた。
【特許文献１】特開２００６−５８６６８号公報
【発明の開示】
【発明が解決しようとする課題】
【０００５】
また、プロジェクタ等の表示装置は、システムメモリの一部を画像用メモリ（第１および第２の記憶領域）として使用する場合、画像情報が入力され続ける間、システムメモリにアクセスし続けることになり、処理負荷が大きくなってしまう。
【０００６】
さらに、画像出力装置においても、画像情報の出力元が他の画像出力装置に切り替わった場合であっても、画像情報の生成、送信等の処理が実行され続けるため、無駄な処理負荷がかかってしまう。
【０００７】
本発明の目的は、画像出力装置を切り替える場合の処理負荷を軽減することが可能な表示装置、プロジェクタ、表示システム、プログラムおよび情報記憶媒体を提供することにある。
【課題を解決するための手段】
【０００８】
上記課題を解決するため、本発明に係る表示装置は、
複数種の画像出力装置から画像情報を入力可能な入出力部と、
画像情報を出力する第１の画像出力装置とは異なる第２の画像出力装置から画像情報を入力する状況である第１の入力ソース切替状況になったかどうかを判定する判定部と、
前記第１の入力ソース切替状況になった場合に、前記画像情報の出力を中断させるための中断制御情報または前記画像情報の出力を停止させるための停止制御情報を、前記入出力部に前記第１の画像出力装置へ向け出力させる制御部と、
を含むことを特徴とする。
【０００９】
また、本発明に係るプロジェクタは、
上記表示装置として形成され、
前記画像情報に基づき、画像を投写する投写部を含むことを特徴とする。
【００１０】
また、本発明に係る表示システムは、
上記表示装置と、
前記第１の画像出力装置と、
前記第２の画像出力装置と、
を含み、
前記第１の画像出力装置は、
画像情報を出力するとともに、前記中断制御情報および前記停止制御情報を入力可能な入出力部と、
前記中断制御情報が入力された場合は画像情報の出力を中断し、前記停止制御情報を入力した場合は画像情報の出力を停止するように、前記入出力部を制御する制御部と、
を含むことを特徴とする。
【００１１】
また、本発明に係るプログラムは、
複数種の画像出力装置から画像情報を入力可能な入出力部を有する表示装置の有するコンピュータにより読み取り可能なプログラムにおいて、
コンピュータを、
画像情報を出力する第１の画像出力装置とは異なる第２の画像出力装置から画像情報を入力する状況である第１の入力ソース切替状況になったかどうかを判定する判定部と、
前記第１の入力ソース切替状況になった場合に、前記画像情報の出力を中断させるための中断制御情報または前記画像情報の出力を停止させるための停止制御情報を、前記入出力部に前記第１の画像出力装置へ向け出力させる制御部として機能させることを特徴とする。
【００１２】
また、本発明に係る情報記憶媒体は、
複数種の画像出力装置から画像情報を入力可能な入出力部を有する表示装置の有するコンピュータにより読み取り可能なプログラムを記憶した情報記憶媒体において、
上記プログラムを記憶したことを特徴とする。
【００１３】
本発明によれば、表示装置等は、画像出力装置を切り替えた場合に、元の画像出力装置に対して画像情報の出力を中断または停止させることができる。これにより、無駄な画像情報の入出力が行われないようになるため、システム全体の処理負荷を軽減することができる。
【００１４】
また、前記判定部は、前記第１の入力ソース切替状況になった後に前記第１の画像出力装置から画像情報を入力する状況である第２の入力ソース切替状況になったかどうかを判定し、
前記制御部は、当該第２の入力ソース切替状況になった場合、前記中断制御情報を出力させた場合には前記画像情報の出力を再開させるための再開制御情報を、前記停止制御情報を出力させた場合には前記画像情報の出力を開始させるための開始制御情報を、前記入出力部に前記第１の画像出力装置へ向け出力させてもよい。
【００１５】
これによれば、表示装置等は、画像情報の出力を中断または停止させた場合であっても、再開または開始させることができ、快適に画像出力装置の切り替えを行うことができる。
【００１６】
また、前記入出力部は、前記第１の画像出力装置から前記画像情報の入力開始時に前記画像情報として画像全体の領域の画像を示す全体領域画像情報を入力するとともに、２回目以降の入力時に前記画像情報として画像全体のうちの前フレームと比較して変化した領域である変化領域の画像を示す変化領域画像情報を入力し、
前記制御部は、前記再開制御情報として、前記第１の画像出力装置に前記全体領域画像情報を出力させるための情報を生成してもよい。
【００１７】
これによれば、表示装置等は、画像情報の入力を再開する場合に、全体領域画像情報を入力することができるため、中断時に画像情報を消去した場合であっても、適切に画像表示を再開することができる。
【００１８】
また、前記表示装置は、
前記第１の画像出力装置からの画像情報または前記第２の画像出力装置からの画像情報を記憶可能な共有メモリと、
各画像情報を前記共有メモリに書き込む描画回路と、
を含み、
前記制御部は、前記第１の入力ソース切替状況になった場合、前記描画回路に、前記第１の画像出力装置からの画像情報の書き込みを停止させるとともに、前記第２の画像出力装置からの画像情報の書き込みを開始させてもよい。
【００１９】
これによれば、表示装置等は、第１の入力ソース切替状況になった場合、第１の画像出力装置からの画像情報用に使用していた描画回路を解放し、第２の画像出力装置からの画像情報用に使用することができ、より有効に描画回路を使用することができる。
【００２０】
また、前記制御部は、前記第１の入力ソース切替状況になった場合、前記共有メモリのうちの第１の画像出力装置からの画像情報用の記憶領域を解放してもよい。
【００２１】
これによれば、表示装置等は、第１の入力ソース切替状況になった場合、共有メモリのうちの第１の画像出力装置からの画像情報用の記憶領域を解放することにより、空いた記憶領域を他の用途で使用することができ、より有効に共有メモリを使用することができる。
【００２２】
また、前記入出力部は、前記共有メモリのうちの第１の画像出力装置からの画像情報用の記憶領域が解放されてから前記第２の画像出力装置からの画像情報を前記共有メモリに書き込んでもよい。
【００２３】
これによれば、画像表示装置等は、第１および第２の画像出力装置用に同時に記憶領域を確保する必要がないため、共有メモリを有効に使用することができる。
【００２４】
また、前記表示装置は、ユーザーの指示情報を入力する指示情報入力部を含み、
前記判定部は、前記第１の画像出力装置からの画像情報に基づいて画像が表示されている状況で、前記第２の画像出力装置からの画像情報を入力することを指示する前記指示情報が入力された場合に前記第１の入力ソース切替状況になったと判定してもよい。
【００２５】
これによれば、表示装置等は、ユーザーの指示に応じて画像出力装置を切り替えることができる。
【発明を実施するための最良の形態】
【００２６】
以下、本発明をプロジェクタに適用した場合を例に採り、図面を参照しつつ説明する。なお、以下に示す実施例は、特許請求の範囲に記載された発明の内容を何ら限定するものではない。また、以下の実施例に示す構成の全てが、特許請求の範囲に記載された発明の解決手段として必須であるとは限らない。
【００２７】
図１は、本実施例における表示システムの機能ブロック図である。
【００２８】
表示システムは、第１の画像出力装置として機能するＰＣ(Personal Computer)２００と、ＰＣ２００とＵＳＢケーブルを介して接続されている表示装置の一種であるプロジェクタ１００とを含んで構成されている。
【００２９】
ＰＣ２００は、画像情報を記憶する記憶部２２０と、当該画像情報をプロジェクタ１００に出力する入出力部２１０と、入出力部２１０の入出力等を制御する制御部２３０とを含んで構成されている。
【００３０】
なお、画像情報は、画像キャプチャーによって取得された情報であってもよいし、画像データに基づいて生成された情報であってもよい。また、画像情報は、画像全体の情報であってもよいし、前回の画像と比べて変化した領域の画像を示す情報であってもよい。また、画像情報は、圧縮、暗号化、パケット化等の種々の変形が行われた情報であってもよい。
【００３１】
また、プロジェクタ１００は、ユーザーの指示情報を入力する指示情報入力部１１０と、ＰＣ２００およびＤＶＤプレーヤー３００から画像情報を入力可能な入出力部１２０と、種々の判定を行う判定部１３０と、画像情報の出力を中断させるための中断制御情報を、入出力部１２０にＰＣ２００へ向け出力させる制御等を行う制御部１４０とを含んで構成されている。
【００３２】
また、プロジェクタ１００は、画像情報やプログラム等を記憶する共有メモリ１５０と、画像情報に基づいて画像を生成する画像処理部１６０と、画像を投写する投写部１９０とを含んで構成されている。なお、本実施例では、共有メモリ１５０は、種々の演算、制御用のシステム領域と、第２の画像出力装置として機能するＤＶＤプレーヤー３００からの画像情報を記憶するための領域またはＰＣ２００からの画像情報を記憶するための領域である表示用領域を確保することができるように構成されている。すなわち、共有メモリ１５０は、いわゆるビデオメモリとしても機能するように構成されている。
【００３３】
なお、プロジェクタ１００およびＰＣ２００の各部は、例えば、以下のハードウェアを用いて実装してもよい。例えば、入出力部１２０、２１０としてはＵＳＢインターフェース等、指示情報入力部１１０としてはボタン、リモートコントローラからの操作情報を受光する赤外受信ユニット等、判定部１３０、制御部１４０、２３０としてはＣＰＵ等、共有メモリ１５０としてはＲＡＭ等、画像処理部１６０としては画像処理回路、描画回路（例えば、カラースペースコンバーター、スケーラ等）等、投写部１９０としては液晶パネル、液晶駆動回路、ランプ、投写レンズ等を採用してもよい。
【００３４】
また、プロジェクタ１００は、判定部１３０等の機能を、プログラムを用いて実装してもよい。例えば、プロジェクタ１００は、判定部１３０等としてプロジェクタ１００の有するコンピュータを機能させるためのプログラムを情報記憶媒体４００から読み取って判定部１３０等の機能を実装してもよい。
【００３５】
このような情報記憶媒体４００としては、例えば、ＣＤ−ＲＯＭ、ＤＶＤ−ＲＯＭ、ＲＯＭ、ＲＡＭ、ＨＤＤ等を適用でき、そのプログラムの読み取り方式は接触方式であっても、非接触方式であってもよい。
【００３６】
次に、本実施例の表示システムにおける入力ソース切り替え時の処理の流れについて説明する。
【００３７】
プロジェクタ１００は、ＰＣ２００から送信される画像情報に基づいて画像を投写している状態であるものとする。
【００３８】
図２は、本実施例のプロジェクタ１００における処理の流れを示すフローチャートである。
【００３９】
判定部１３０は、指示情報入力部１１０によって入力ソースをＤＶＤプレーヤー３００に切り替える指示情報が入力されたかどうか、すなわち、第１の入力ソース切替状況になったかどうかを判定する（ステップＳ１）。ここで、第１の入力ソース切替状況とは、画像情報を出力しているＰＣ２００とは異なる他の画像出力装置（例えば、ＤＶＤプレーヤー３００）から画像情報を入力する状況のことである。
【００４０】
第１の入力ソース切替状況になった場合、制御部１４０は、画像情報の出力を中断させるための中断制御情報を入出力部１２０にＰＣ２００へ向け出力させる（ステップＳ２）。
【００４１】
さらに、第１の入力ソース切替状況になった場合、制御部１４０は、共有メモリ１５０のうちのＰＣ２００からの画像情報用の記憶領域を解放する（ステップＳ３）。なお、制御部１４０は、画像処理部１６０内の描画回路も解放する。
【００４２】
図３は、本実施例のＰＣ２００における処理の流れを示すフローチャートである。
【００４３】
制御部２３０は、入出力部２１０によって中断制御情報が入力されたかどうかを判定し（ステップＳ１１）、中断制御情報が入力された場合、画像情報の送信を中断するように入出力部２１０を制御する（ステップＳ１２）。
【００４４】
以上の手順により、表示システムは、第１の入力ソース切替状況になった場合、ＰＣ２００からの画像情報の送信を中断し、ＰＣ２００用の記憶領域等を解放することができる。
【００４５】
そして、画像処理部１６０は、ＰＣ２００用の記憶領域等の解放後にＤＶＤプレーヤー３００からの画像情報を描画回路に入力し、ＤＶＤプレーヤー３００用の記憶領域を共有メモリ１５０に確保してＤＶＤプレーヤー３００からの画像情報を書き込み、当該画像情報に基づいて画像を生成し（ステップＳ７）、投写部１９０は、画像を投写する（ステップＳ８）。
【００４６】
判定部１３０は、指示情報入力部１１０によって入力ソースをＰＣ２００に切り替える指示情報が入力されたかどうか、すなわち、第２の入力ソース切替状況になったかどうかを判定する（ステップＳ４）。
【００４７】
入力ソースをＰＣ２００に切り替える指示があった場合、制御部１４０は、ＤＶＤプレーヤー３００用のハードウェアリソース（例えば、描画回路、共有メモリ１５０内の記憶領域等）を解放して共有メモリ１５０にＰＣ２００からの画像情報用の記憶領域を確保する（ステップＳ５）。
【００４８】
また、入力ソースをＰＣ２００に切り替える指示があった場合、制御部１４０は、画像情報の出力を再開させるための再開制御情報を入出力部１２０にＰＣ２００へ向け出力させる（ステップＳ６）。
【００４９】
制御部２３０は、入出力部２１０によって再開制御情報が入力されたかどうかを判定し（ステップＳ１３）、再開制御情報が入力された場合、画像情報の送信を再開するように入出力部２１０を制御する（ステップＳ１４）。
【００５０】
そして、入出力部２１０は、中断中ではない場合（ステップＳ１５）、画像情報の送信を継続する（ステップＳ１４）。
【００５１】
以上の手順により、表示システムは、入力ソースがＰＣ２００に切り替えられた場合、ＰＣ２００からの画像情報の送信を再開し、ＰＣ２００用の記憶領域を確保することができる。
【００５２】
なお、中断、再開のための具体的な手法としては、表示システムは、例えば、以下の手法を採用してもよい。
【００５３】
例えば、制御部２３０は、中断制御情報が入力された時点における送信済みの画像情報の識別情報を記憶部２２０に記憶しておき、再開制御情報が入力された際に当該識別情報に基づいて次の画像情報から入出力部２１０に出力させてもよい。
【００５４】
また、例えば、制御部１４０は、中断制御情報の出力時にＰＣ２００から最後に入力された画像情報のパケット識別情報を中断制御情報に含めて入出力部１２０に出力させ、制御部２３０が、再開制御情報が入力された際に当該パケット識別情報に基づいて次の画像情報から入出力部２１０に出力させてもよい。
【００５５】
また、例えば、制御部１４０は、第１の入力ソース切替状況になった場合にＰＣ２００から最後に入力された画像情報のパケット識別情報を共有メモリ１５０に記憶しておき、再びＰＣ２００から画像情報を入力する状況になった場合に当該パケット識別情報を再開制御情報に含めて入出力部１２０に出力させ、制御部２３０が、再開制御情報が入力された際に当該パケット識別情報に基づいて次の画像情報から入出力部２１０に出力させてもよい。
【００５６】
なお、プロジェクタ１００は、上述した処理を終了するまで（ステップＳ９）続行し、ＰＣ２００も上述した処理を終了するまで（ステップＳ１６）続行する。
【００５７】
以上のように、本実施例によれば、プロジェクタ１００は、画像出力装置を切り替えた場合に、元の画像出力装置に対して画像情報の出力を中断させることができる。これにより、無駄な画像情報の入出力が行われないようになるため、システム全体の処理負荷を軽減することができる。
【００５８】
また、本実施例によれば、プロジェクタ１００は、ＰＣ２００に画像情報の出力を一旦中断させた場合であっても、再開制御情報を送信することにより再開させることができ、快適に画像出力装置の切り替えを行うことができる。
【００５９】
また、本実施例によれば、プロジェクタ１００は、第１の入力ソース切替状況になった場合、ＰＣ２００からの画像情報用に使用していたハードウェアリソース（描画回路および共有メモリ１５０の記憶領域）を解放することにより、空いたハードウェアリソースを他の用途で使用することができ、より有効に共有メモリ１５０等を使用することができる。
【００６０】
また、本実施例によれば、プロジェクタ１００は、ＰＣ２００およびＤＶＤプレーヤー３００用に同時に記憶領域を確保する必要がないため、共有メモリ１５０を有効に使用することができる。
【００６１】
また、本実施例によれば、プロジェクタ１００は、指示情報入力部１１０からの指示情報を用いることにより、ユーザーの指示に応じて画像出力装置を切り替えることができる。
【００６２】
なお、本発明の適用は、上述した実施例には限定されず、種々の変形が可能である。
【００６３】
例えば、プロジェクタ１００は、上述した中断制御情報に代えて画像情報の出力を停止させるための停止制御情報を用い、上述した再開制御情報に代えて画像情報の出力を開始させるための開始制御情報を用いてもよい。
【００６４】
これによれば、プロジェクタ１００は、画像出力装置に対し、画像情報の出力を停止させたり、画像情報の出力を開始させたりすることができる。
【００６５】
また、制御部１４０は、中断制御情報や停止制御情報が出力された直後に、入出力部１２０にＰＣ２００からの画像情報を共有メモリ１５０や画像処理部１６０に出力させずに入出力部１２０内のバッファに上書きさせたり、消去させたりしてもよい。
【００６６】
これによれば、プロジェクタ１００は、入力ソースをＰＣ２００からＤＶＤプレーヤー３００等に切り替えた際にＰＣ２００から余分な画像情報を入力する場合であっても、描画回路や共有メモリ１５０等のハードウェアリソースの無駄な使用を抑制することができる。
【００６７】
また、例えば、プロジェクタ１００とＰＣ２００との間の伝送路はＵＳＢケーブルには限定されず、例えば、ＬＡＮケーブル等の種々の有線伝送路、無線ＬＡＮ等の種々の無線伝送路であってもよい。
【００６８】
また、ＰＣ２００が、初回の画像情報出力時に画像全体の領域の画像を示す全体領域画像情報を出力し、２回目以降の画像情報出力時に画像全体のうちの前フレームと比較して変化した領域である変化領域の画像を示す変化領域画像情報を出力する機能を有している場合、プロジェクタ１００は、以下の処理を実行してもよい。
【００６９】
例えば、入出力部１２０が、ＰＣ２００からの画像情報の入力開始時に全体領域画像情報を入力するとともに、２回目以降の画像情報の入力時に変化領域画像情報を入力し、共有メモリ１５０に記憶する。画像処理部１６０は、前フレームの全体領域画像情報と、新たなフレームの変化領域画像情報に基づいて新たな全体領域画像情報を生成し、当該全体領域画像情報に基づいて画像を生成する。そして、制御部１４０が、再開制御情報として、ＰＣ２００に全体領域画像情報を出力させるための情報を生成する。
【００７０】
これにより、ＰＣ２００は、画像情報の出力再開時に全体領域画像情報を出力し、プロジェクタ１００は、全体領域画像情報を入力することができるため、中断時に共有メモリ１５０から画像情報を消去した場合であっても、適切に画像表示を再開することができる。なお、全体領域画像情報と変化領域画像情報を用いた処理の詳細は、特開２００６−５８６６８号公報に記載されているので、詳細な説明は省略する。
【００７１】
また、上述した実施例では、プロジェクタ１００は、共有メモリ１５０にＰＣ２００またはＤＶＤプレーヤー３００用の記憶領域を選択的に解放、確保しているが、表示用の固定的なメモリが共有メモリ１５０に設けられている場合、ＰＣ２００用の記憶領域のみを解放、確保してもよい。
【００７２】
これによれば、プロジェクタ１００は、ＰＣ２００用の記憶領域を解放することにより、解放後の記憶領域をシステム用に使用することもでき、より有効に共有メモリ１５０を使用することができる。
【００７３】
また、制御部１４０は、入力ソース切替状況になった場合、描画回路のみを解放、確保してもよい。例えば、描画回路が共有メモリ１５０に設けられたＰＣ２００用の記憶領域とＤＶＤプレーヤー３００用の記憶領域のそれぞれに描画する状況で第１の入力ソース切替状況になった場合、制御部１４０は、ＰＣ２００用に使用している描画回路による書き込みを停止し、描画回路のリソースを解放してもよい。
【００７４】
また、プロジェクタ１００は、液晶プロジェクタには限定されず、例えば、米国テキサス・インスツルメンツ社が開発したＤＭＤ(Digital Micromirror Device)を用いたプロジェクタ、ＣＲＴプロジェクタ、有機ＥＬを用いたプロジェクタ等であってもよい。
【００７５】
また、表示装置は、プロジェクタ１００には限定されず、例えば、ＴＶ、液晶ディスプレイ等の複数種の画像出力装置からの画像情報を入力する種々の表示装置を採用可能である。
【００７６】
また、第１の画像出力装置は、ＰＣ２００には限定されず、例えば、携帯電話、ゲーム装置等の種々の装置を採用可能である。
【００７７】
また、第２の画像出力装置は、ＤＶＤプレーヤー３００には限定されず、ビデオ再生装置、ＨＤＤレコーダー、ＴＶ等の種々の装置を採用可能である。
【図面の簡単な説明】
【００７８】
【図１】本実施例における表示システムの機能ブロック図である。
【図２】本実施例のプロジェクタにおける処理の流れを示すフローチャートである。
【図３】本実施例のＰＣにおける処理の流れを示すフローチャートである。
【符号の説明】
【００７９】
１００  プロジェクタ（表示装置）、１１０  指示情報入力部、１２０、２１０  入出力部、１３０  判定部、１４０、２３０  制御部、１５０  共有メモリ、１６０  画像処理部、１９０  投写部、２００  ＰＣ（第１の画像出力装置）、３００  ＤＶＤプレーヤー（第２の画像出力装置）、４００  情報記憶媒体
【図１】
2008102307.tif 000003
【図２】
2008102307.tif 000004
【図３】
2008102307.tif 000005